(57)【要約】【課題】部品点数を増加させずに放熱性を確保することができるようにする。【解決手段】液晶パネル３と、この液晶パネル３の裏面側に配設された導光板４と、この導光板４の一辺に配設されたＬＥＤバー８と、を下部ケース１１内に収容し、この下部ケース１１に、上部フレーム１２を被せて、当該下部ケース１１と上部フレーム１２とを固定部１３にて固定した液晶モジュール１に関する。  上記固定部１３が、上記下部ケース１１の側面に形成された矩形状の取付穴２１と、上記上部フレーム１２の側面に形成されて、上記矩形状の取付穴２１へ没入係止可能な押圧変形帯部２２とを有する。  そして、この押圧変形帯部２２の少なくとも一辺が、長手方向の中央へ進むに従い幅寸法が狭くなる２つの傾斜辺部２３ａ，２３ｂ、または、２つの傾斜辺部２４ａ，２４ｂを有する凹形状のものとされる。【選択図】図２
2014215452.tif 000002
【特許請求の範囲】
【請求項１】
前面に光学シートを有する液晶パネルと、
該液晶パネルの裏面側に配設されて、該液晶パネルへ光を導く導光板と、
該導光板の一辺に配設された、複数のＬＥＤを一列に並べて配線基板に搭載して成るＬＥＤバーと、を下部ケース内に収容し、
該下部ケースに、上部フレームを被せて、当該下部ケースと上部フレームとを固定部にて固定した液晶モジュールであって、
前記固定部が、
前記下部ケースの側面に形成された矩形状の取付穴と、
前記上部フレームの側面に形成されて、前記矩形状の取付穴へ没入係止可能な押圧変形帯部と、を有し、
該押圧変形帯部の少なくとも一辺が、長手方向の中央へ進むに従い幅寸法が狭くなる２つの傾斜辺部を有する凹形状のものとされたことを特徴とする液晶モジュール。
【請求項２】
前記固定部を構成する矩形状の取付穴は、前記下部ケースの前記ＬＥＤバーが設けられた辺に、前記ＬＥＤの照射面とは反対側の前記配線基板が臨むように設けられたことを特徴とする請求項１に記載の液晶モジュール。
【請求項３】
前記取付穴は、前記ＬＥＤと重なる位置に設けられたことを特徴とする請求項２に記載の液晶モジュール。
【発明の詳細な説明】
【技術分野】
【０００１】
この発明は、液晶モジュールに関するものである。
【背景技術】
【０００２】
近年、様々な分野において、表示用ディスプレイを備えた機器（表示装置）が用いられている。このような機器では、予め構成された液晶モジュールをそのまま搭載することによって、簡単に表示用ディスプレイを備えた表示装置となる。
【０００３】
そして、上記した液晶モジュールには、例えば、液晶パネルの裏面側に配設されて、液晶パネルへ光を導く導光体と、この導光体の一辺側に配設された光源基板とをフレーム内に収容し、このフレームを、シャーシ内に収容して固定部にて固定して成るバックライトモジュールなどを備えたものなどが存在する（例えば、特許文献１参照）。
【先行技術文献】
【特許文献】
【０００４】
【特許文献１】特開２０１１−２５３７６９号公報
【発明の概要】
【発明が解決しようとする課題】
【０００５】
しかしながら、上記特許文献１に記載されたバックライトモジュールには、光源基板が発する熱を放熱するために、シャーシの下側に放熱板を取付ける構造となっていたので、部品点数が増加してしまうなどの問題があった。
【０００６】
そこで、本発明は、上記した放熱の問題を解決することを、目的としている。
【課題を解決するための手段】
【０００７】
上記課題を解決するために、本発明は、
前面に光学シートを有する液晶パネルと、
該液晶パネルの裏面側に配設されて、該液晶パネルへ光を導く導光板と、
該導光板の一辺に配設された、複数のＬＥＤを一列に並べて配線基板に搭載して成るＬＥＤバーと、を下部ケース内に収容し、
該下部ケースに、上部フレームを被せて、当該下部ケースと上部フレームとを固定部にて固定した液晶モジュールであって、
前記固定部が、
前記下部ケースの側面に形成された矩形状の取付穴と、
前記上部フレームの側面に形成されて、前記矩形状の取付穴へ没入係止可能な押圧変形帯部と、を有し、
該押圧変形帯部の少なくとも一辺が、長手方向の中央へ進むに従い幅寸法が狭くなる２つの傾斜辺部を有する凹形状のものとされたことを特徴とする。
【発明の効果】
【０００８】
本発明によれば、上記構成によって、以下のような作用効果を得ることができる。
即ち、取付穴の内部へ押圧変形帯部を没入して係止させることにより、下部ケースと上部フレームとを固定することができる。この際、押圧変形帯部の少なくとも一辺が、２つの傾斜辺部を有する凹形状のものとされたことにより、取付穴の一辺に対して押圧変形帯部の２つの傾斜辺部が２点で点当たりして、両者の接触圧が上記２点で高まるので、下部ケースと上部フレームとをガタ付きなく固定することができる。
また、押圧変形帯部の少なくとも一辺に形成された凹形状の２つの傾斜辺部によって、取付穴と押圧変形帯部との間に、下部ケースおよび上部フレームの内外間を連通する所要の大きさの連通穴部が形成されて、この連通穴部が放熱穴や呼吸穴となるので、部品点数を増加させることなく、放熱性と放湿性とを同時に確保することができる。
【図面の簡単な説明】
【０００９】
【図１】本発明の実施例にかかる液晶モジュールの全体斜視図である。
【図２】図１の分解斜視図である。
【図３】図１の部分的な縦断面図である。
【図４】図１の固定部の拡大側面図である。
【発明を実施するための形態】
【００１０】
以下、本実施の形態、および、それを具体化した実施例を、図面を用いて詳細に説明する。
図１〜図４は、この実施の形態の実施例およびその変形例を示すものである。
【実施例１】
【００１１】
＜構成＞以下、構成について説明する。
例えば、自動車などの車両には、車室内の前部に表示用ディスプレイが設けられたものが存在している。そして、この表示用ディスプレイに、図１の全体斜視図に示すような、液晶モジュール１を用いることも行われている。この液晶モジュール１は、例えば、図２の分解斜視図、図３の部分拡大断面図に示すように、前面に光学シート２を有する液晶パネル３と、この液晶パネル３の裏面側に配設されて、この液晶パネル３へ光を導く導光板４と、この導光板４の一辺に配設された、複数のＬＥＤ６を一列に並べて配線基板７に搭載して成るＬＥＤバー８と、を下部ケース１１内に収容し、この下部ケース１１に、上部フレーム１２を被せて、当該下部ケース１１と上部フレーム１２とを固定部１３にて固定したものなどとされる。
【００１２】
ここで、上記についての補足説明を行う。
上記した「液晶モジュール１」は、文字通り、上記した液晶パネル３や導光板４やＬＥＤバー８などの部品を予め組み合わせてモジュール化したパッケージ部品であり、そのまま機器に搭載することによって、表示用ディスプレイを備えた表示装置とし得るようにしたものである。
【００１３】
上記した「光学シート２」は、文字通り、光学特性を有する透明な樹脂製のシートである。光学シート２には、例えば、偏光フィルムや、１／４波長板や、加飾フィルムや、低反射フィルムや、これらを組合せた複合フィルムなど、様々なものが存在する。このような光学シート２は、例えば、液晶パネル３の表示面（前面）に対し、特殊粘着剤などによって貼付けられる。
【００１４】
上記した「液晶パネル３」は、文字通り、液晶を利用して画像を表示できるようにした薄型の表示パネルのことである。この場合、液晶パネル３は、所要の縦横比率を有する矩形状のものとされる。
【００１５】
上記した「導光板４」は、文字通り、液晶パネル３の裏面側へ照明用の光を導くための板状体であり、透明な樹脂製のパネルなどによって構成されている。導光板４は、液晶パネル３とほぼ同じ大きさか、それよりも、若干大きな矩形状のものとされる。導光板４の裏面側には、必要に応じて、反射シート１５などが設置される。
【００１６】
上記した「一辺」は、文字通り、矩形状をした導光板４の４つの辺のうちの１つの辺である。
【００１７】
上記した「ＬＥＤ６」は、液晶パネル３を裏面側から照明するための光を発生する光源（点光源）である。ＬＥＤ６の照射面と導光板４の一辺との間には、必要に応じて、所要のクリアランスが形成される。
【００１８】
上記した「配線基板７」は、この場合、極めて薄い柔軟な絶縁フィルムによって構成されたフレキシブルプリント基板などとされる。
【００１９】
上記した「ＬＥＤバー８」は、上記したような柔軟な配線基板７に対して、複数のＬＥＤ６を一定の間隔を有して取付けると共に、各ＬＥＤ６に対して電力を供給するための電線を形成した帯状の発光体（帯状発光体）などとされる。
【００２０】
上記した「下部ケース１１」は、文字通り、下側に位置するケースのことである。この下部ケース１１は、矩形状の底面と、この底面の４つの辺から図中上方へ立設された４つの側面とを有する浅い矩形容器状をしたものなどとされる。この下部ケース１１は金属製のものとされる。そして、下部ケース１１に対する、液晶モジュール１や、導光板４や、ＬＥＤバー８の取付けには、必要に応じて、枠状取付部材１６などが用いられる。
【００２１】
この枠状取付部材１６は、少なくとも、下部ケース１１に対する取付部１６ａや、液晶モジュール１の取付部１６ｂや、導光板４の取付部１６ｃや、ＬＥＤバー８の取付部１６ｄなどを有するものとされる。この取付部１６ｄは、ＬＥＤバー８の取付面や、ＬＥＤ６の挿入穴などを有するものとされる。ＬＥＤバー８は、例えば、特殊粘着剤などによって取付部１６ｄに貼付けられる。なお、下部ケース１１に対する、液晶モジュール１や、導光板４や、ＬＥＤバー８の取付けは、上記した枠状取付部材１６を用いるものに限るものではない。
【００２２】
上記した「上部フレーム１２」は、文字通り、液晶モジュール１の最も上側に位置する枠状の蓋部材のことである。この上部フレーム１２は、液晶パネル３が臨む開口部１２ａを有する矩形枠状の上面と、この上面の４つの辺から図中下方へ垂設された４つの側面とを有するものなどとされる。この上部フレーム１２は、下部ケース１１に対して上側からほぼ隙間なく被着できるようにするために、下部ケース１１とほぼ同じか、または、下部ケース１１よりも若干大きいものとされる。この上部フレーム１２は、金属製のものとされる。
【００２３】
上記した「固定部１３」は、文字通り、下部ケース１１と上部フレーム１２とを固定するための部分または構造のことである。固定部１３については、後述する。
【００２４】
そして、以上のような構成に対し、この実施例のものでは、以下のような構成を備えるようにしている。
【００２５】
（構成１）
上記した固定部１３が、
上記下部ケース１１の側面に形成された矩形状の取付穴２１と、
上記上部フレーム１２の側面に形成されて、上記矩形状の取付穴２１へ没入係止可能な押圧変形帯部２２と、を有するものとされる。
そして、図４の部分拡大図に示すように、この押圧変形帯部２２の少なくとも一辺が、長手方向の中央へ進むに従い幅寸法が狭くなる２つの傾斜辺部２３ａ，２３ｂ、または、２つの傾斜辺部２４ａ，２４ｂを有する凹形状のものとされる。
【００２６】
（補足説明１）
ここで、上記した「取付穴２１」は、文字通り、取付けのための穴部であり、この場合には、下部ケース１１の側面に沿って延びる横長の長方形状のものとされる。取付穴２１は、押圧変形帯部２２の一部が没入可能な大きさのものとされる。
【００２７】
上記した「押圧変形帯部２２」は、文字通り、押圧することによって面外方向へ変形される帯状をした部分のことである。この押圧変形帯部２２は、例えば、平行な２本のスリットによって、その間に形成されるようなものである。押圧変形帯部２２は、取付穴２１の内方へ向けて押し込まれることにより、ブリッジ状に変形されて、取付穴２１に係止される。
【００２８】
上記した「一辺」は、押圧変形帯部２２の一つの辺のことである。より具体的には、押圧変形帯部２２の図中上側の辺（上辺部）、または、下側の辺（下辺部）のことである。この場合には、上下の二辺となっている。
【００２９】
上記した「長手方向」は、押圧変形帯部２２の延設方向のことである。
上記した「中央」は、押圧変形帯部２２の長手方向の中央部またはその周辺のことである。
上記した「幅寸法」は、押圧変形帯部２２の幅方向（図中上下方向）の寸法のことである。
【００３０】
上記した「傾斜辺部２３ａ，２３ｂまたは傾斜辺部２４ａ，２４ｂ」は、押圧変形帯部２２の辺に形成された傾斜部分のことである。この場合、２つの傾斜辺部２３ａ，２３ｂによって、押圧変形帯部２２の上辺部はＶ字状とされている。また、２つの傾斜辺部２４ａ，２４ｂによって、押圧変形帯部２２の下辺部は逆Ｖ字状とされている。
【００３１】
上記した「凹形状」は、押圧変形帯部２２の一辺が凹状に凹んだ形状のことである。この場合には、上記したＶ字状の凹みとなっている。そして、上記した二対の傾斜辺部２３ａ，２３ｂおよび傾斜辺部２４ａ，２４ｂを作るために、上部フレーム１２の側面に対し、互いに頂点が向かい合った２つの三角形状（特に、同じ大きさの扁平な二等辺三角形状）の穴部を形成するようにしている。
【００３２】
（構成２）
図３に示すように、上記固定部１３を構成する矩形状の取付穴２１は、上記下部ケース１１の上記ＬＥＤバー８が設けられた辺に、上記ＬＥＤ６の照射面とは反対側の上記配線基板７が臨むように設けられるようにする。
【００３３】
（補足説明２）
ここで、上記した「配線基板７のＬＥＤ６の照射面とは反対側の面」は、配線基板７の裏面または外側の面のことである。
【００３４】
（構成３）
更に、上記取付穴２１は、上記ＬＥＤ６と重なる位置に設けられる。
【００３５】
（補足説明３）
ここで、上記した「重なる位置」は、ＬＥＤバー８におけるＬＥＤ６が設けられた位置のことである。但し、取付穴２１は、ＬＥＤ６と一対一に対応させる必要はなく、１つの取付穴２１に対して、複数のＬＥＤ６を重ならせるようにしても良い。また、例えば、一部のＬＥＤ６については、取付穴２１のない位置に存在していても良い。
【００３６】
＜作用＞以下、この実施例の作用について説明する。
液晶パネル３（光学シート２を含む）と、導光板４（反射シート１５を含む）と、ＬＥＤバー８とを、枠状取付部材１６を介して下部ケース１１内に収容し、この下部ケース１１に、上部フレーム１２を被せて、下部ケース１１と上部フレーム１２とを固定部１３にて固定することによって、液晶モジュール１が組立てられる。
【００３７】
この際、矩形状の取付穴２１へ押圧変形帯部２２を変形させて没入する（曲げながら押し込む）ことにより、下部ケース１１と上部フレーム１２とが係止固定される。なお、固定部１３は、少なくとも、下部ケース１１と上部フレーム１２との一辺に対して設ければ良いが、他の辺に対して設けるようにしても良い。または、他の辺については、上記した固定部１３に代えて、ストッパや位置決め部などを適宜設けるようにしても良い。
【００３８】
そして、この液晶モジュール１を、機器にそのまま搭載することによって、表示用ディスプレイを備えた表示装置とすることができる。
【００３９】
この液晶モジュール１では、ＬＥＤ６からの光を導光板４の一辺に入光させることにより、液晶パネル３の裏面側を照明（バックライト照明）することができる。
【００４０】
＜効果＞この実施例によれば、以下のような効果を得ることができる。
（作用効果１）
取付穴２１の内部へ押圧変形帯部２２を没入して係止させることにより、下部ケース１１と上部フレーム１２とを固定することができる。この際、押圧変形帯部２２の少なくとも一辺が、２つの傾斜辺部２３ａ，２３ｂまたは２つの傾斜辺部２４ａ，２４ｂを有する凹形状のものとされたことにより、取付穴２１の一辺に対して押圧変形帯部２２の２つの傾斜辺部２３ａ，２３ｂまたは２つの傾斜辺部２４ａ，２４ｂが２点で点当たりして、両者の接触圧が上記２点で高まるので、下部ケース１１と上部フレーム１２とを（上下方向や左右方向に対して）ガタ付きなく固定することができる。
また、押圧変形帯部２２の少なくとも一辺に形成された凹形状の２つの傾斜辺部２３ａ，２３ｂまたは２つの傾斜辺部２４ａ，２４ｂによって、取付穴２１と押圧変形帯部２２との間に、下部ケース１１および上部フレーム１２の内外間を連通する所要の大きさの連通穴部Ｓが形成されて、この連通穴部Ｓが放熱穴や呼吸穴となるので、部品点数を増加させることなく、放熱性と放湿性とを同時に確保することができる。
【００４１】
（作用効果２）
ＬＥＤバー８は発熱源であるため、何らかの放熱手段が必要となるが、下部ケース１１におけるＬＥＤバー８が設けられる辺に上記取付穴２１を設けることにより、発熱源に近い位置（上記した連通穴部Ｓ）から放熱を行わせることができるので、効果的である。更に、取付穴２１に臨むようにＬＥＤバー８の配線基板７が存在するため、配線基板７がＬＥＤ６からの光を遮ることで、取付穴２１の部分（上記した連通穴部Ｓ）からの光漏れを防止する効果も期待できる。
【００４２】
（作用効果３）
取付穴２１が、ＬＥＤ６と重なる位置に設けられたことにより、ＬＥＤバー８における直接の発熱源であるＬＥＤ６から取付穴２１（上記した連通穴部Ｓ）を通して直接的に放熱が行われることになるので、最も効果的に放熱を行わせることができる。
【００４３】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００４４】
１  液晶モジュール
２  光学シート
３  液晶パネル
４  導光板
６  ＬＥＤ
７  配線基板
８  ＬＥＤバー
１１  下部ケース
１２  上部フレーム
１３  固定部
２１  取付穴
２２  押圧変形帯部
２３ａ  傾斜辺部
２３ｂ  傾斜辺部
２４ａ  傾斜辺部
２４ｂ  傾斜辺部
Ｓ      連通穴部
【図１】
2014215452.tif 000003
【図２】
2014215452.tif 000004
【図３】
2014215452.tif 000005
【図４】
2014215452.tif 000006